(57)【要約】      （修正有）【課題】飾っておくことのみで室内の除湿、消臭等を行うことが可能であるとともに、長期間の使用によっても汚れることが無いパネルを提供する。【解決手段】多角形状に枠組みされたフレーム２と、フレーム２内に支持される透明体３と、透明体３の裏面側に重ね合わされる配置でフレーム２内に支持される裏板４と、を具備し、絵画、写真等の掲示物５を透明体と裏板間に挟持して額装可能としたパネル１である。裏板４は、珪藻土とチタンアパタイトと再生紙の紙片を混ぜ合わせて成型したものをホットプレスにより固化して製造したものであることを特徴としており、珪藻土の分解消臭効果、抗酸化作用等によって室内の除湿、消臭等を行うことが可能であるとともに、光触媒の作用によって裏板に付着した汚れを分解して裏板の汚れを防止し、それによりパネルの装飾効果が落ちることを防止可能である。【選択図】図２
0003185570.tif 000002
【実用新案登録請求の範囲】
【請求項１】
複数本の長尺状のフレーム材を略多角形状に枠組みすることにより形成されるフレーム（２）と、
該フレーム（２）内に支持される透明体（３）と、
該透明体（３）の裏面側に重ね合わされる配置で、前記フレーム（２）内に支持される裏板（４）と、を具備し、絵画、写真等の掲示物を前記透明体と裏板間に挟持して額装可能としたパネルであって、
前記裏板（４）は、珪藻土とチタンアパタイトと紙片とを混ぜ合わせて製造したものであることを特徴とするパネル。
【請求項２】
前記紙片は、再生紙を用いたことを特徴とする請求項１に記載のパネル。
【考案の詳細な説明】
【技術分野】
【０００１】
本考案は、四角形状に枠組みされたフレームとこのフレームの内周に支持された透明体及び裏板とを備え、各種の絵画、写真等の掲示物を額装するために用いられるパネルに係り、より詳しくは、パネルを構成する裏板として、珪藻土とチタンアパタイトと紙片を混ぜ合わせて成型、固化して製造した裏板を用いたことを特徴とするパネルに関する。
【背景技術】
【０００２】
従来から、絵画、写真等を壁等に飾る場合にはパネルが用いられている。即ち、このパネルは、周知の通り、長尺状のフレーム材を多角形状に枠組みして構成されたフレームと、この多角形状に枠組みされたフレーム内に支持されるとともに、絵画、写真等を挟み込んで支持することが可能な裏板および透明体を備えており、更に、フレームの裏側には、裏板をフレームに係止するための、「とんぼ」といわれる係止部材が回動自在に装着されている。
【０００３】
そして、裏板と透明体の間に絵画、写真等を挟み込むことによりパネルに絵画、写真等を支持するとともに、係止部材によって裏板をフレームに係止して、この状態でパネルを壁等に掛けることにより、絵画、写真等を所望する箇所に飾ることを可能としており、これにより、特に絵画、写真等を飾ることにより室内の装飾等を行うことも可能となる。
【０００４】
ところで、前述のように、従来から提供されているパネルは、絵画、写真等を室内等に飾ることにより室内の装飾等を行い、それにより室内における住環境を良くすることを主な目的としているが、室内における住環境を良くするためには絵画、写真等により室内の装飾を行うことのみでは不十分である。
【０００５】
即ち、絵画、写真等により室内を飾ることにより視覚に訴える住環境の向上は可能だが、室内における住環境を良くするためには、室内における湿度の調節、消臭、殺菌等が必要である。
【０００６】
そのために、従来は、室内の住環境を良くするために、絵画、写真等により室内を飾ることに加えて、除湿材、消臭剤、芳香剤あるいは空気清浄機等を室内に配置するとともに、更には観葉植物等を置くことが行われていたが、室内に除湿材、消臭剤、芳香剤あるいは空気清浄機等を置いた場合にはその交換やメンテナンスが面倒であり、更に観葉植物等を置いた場合には世話が大変である。
【０００７】
また、室内に除湿材、消臭剤、芳香剤あるいは空気清浄機等を置いた場合において、これらの交換やメンテナンスを怠ってしまった場合には室内が汚れてしまい、それにより、室内に浮遊している汚れ等によってパネルが汚れてしまい、特に絵画、写真等を室内装飾の一つとして飾っている場合には、その装飾効果が落ちてしまい、本来は視覚により室内環境を良くするはずのパネルの存在が室内環境を逆に悪くしてしまうおそれも考えられる。
【０００８】
更に、除湿材、消臭剤、芳香剤、空気清浄機等の交換やメンテナンスを怠っている場合において、パネルの表面に花粉等の汚れが付着した場合には、それに起因して花粉症やアトピー性皮膚炎の症状が出るおそれが十分に考えられる。
【０００９】
そのために、本考案者は過去において、半永久的に調湿機能を発揮するとともに生活臭や有害物質を吸着、脱臭する働きがあることが知られている珪藻土に着目し、フレームの表面に珪藻土層を形成したパネルを提案しており、このパネルによれば、珪藻土の分解消臭効果、抗酸化作用等により、特に除湿材、消臭剤、芳香剤あるいは空気清浄機、更には観葉植物等を室内におくことなく、室内における住環境を良くすることが可能となった。
【先行技術文献】
【特許文献】
【００１０】
【特許文献１】実用新案登録第３１３２５９３号公報
【考案の概要】
【考案が解決しようとする課題】
【００１１】
しかし、前述したように、パネルにおいてフレームは、長尺状のフレーム材を多角形状に枠組みして構成し、このフレーム内に透明体と裏板を支持するものであり、パネル全体に占める面積は小さいものである。そのために、フレームに珪藻土層を形成しただけでは、室内の除湿、消臭には不十分であった。
【００１２】
また、珪藻土は前述のように、調湿機能、消臭機能を発揮するが、汚れを分解する効果は期待できず、従って、珪藻土層をフレームに形成したパネルの場合は、室内の除湿、消臭等を行うことは可能だが、長期間の使用によりパネル自体が汚れてしまうことは有効に防止することができず、そのために、特に絵画、写真等を室内装飾の一環として飾っている場合には、その装飾効果が落ちてしまう一方、パネルが汚れる度ごとにこれを交換していたのでは手間、コストの面からも好ましくない。
【００１３】
そこで、本考案は、室内の除湿、消臭を十分に行うことで室内の住環境を確実に良くすることができるとともに、長期間の使用によっても汚れてしまうことが無いパネルを提供することを課題としている。
【課題を解決するための手段】
【００１４】
本考案のパネルは、
複数本の長尺状のフレーム材を略多角形状に枠組みすることにより形成されるフレームと、
該フレーム内に支持される透明体と、
該透明体の裏面側に重ね合わされる配置で、前記フレーム内に支持される裏板と、を具備し、写真、絵画等の掲示物を前記透明体と裏板間に挟持して額装可能としたパネルであって、
前記裏板は、珪藻土とチタンアパタイトと紙片を混ぜ合わせて製造したものであることを特徴としている。
【考案の効果】
【００１５】
本考案のパネルでは、パネルの裏面の広い範囲を占める裏板を、珪藻土と紙片とチタンアパタイトを混ぜ合わせて製造している。そのために、フレームに珪藻土層を形成した場合と捕獲して、室内の除湿、消臭を十分に行うことが可能である。
【００１６】
また、本考案の裏板は、珪藻土とチタンアパタイトと紙片を混ぜ合わせて製造しており、珪藻土と光触媒の双方の効果を発揮することができるため、長期間の使用によっても、裏板が汚れることを防止できる。
【図面の簡単な説明】
【００１７】
【図１】本考案のパネルの実施例の正面図である。
【図２】図１におけるＡ−Ａ線断面構造を示した図である。
【図３】本考案のパネルの実施例における裏板の製造方法を説明するためのフローチャートである。
【考案を実施するための形態】
【００１８】
本考案のパネルでは、長尺状のフレーム材を四角形状に枠組みすることによってフレームが形成されており、このフレームの内周側には、透明体が支持されている。
【００１９】
また、透明体の裏面側には、透明体に重ね合わされる配置で、フレームの内周側に裏板が配置されており、この裏板は、フレームに回動自在に取り付けられた止め具によって、フレームの内周側に支持され、絵画、写真等の掲示物を透明体と裏板間に挟持して額装可能としている。
【００２０】
そして、裏板は、珪藻土とチタンアパタイトと紙片を混ぜ合わせ、成型し、その後固化して製造したものを用いている。
【００２１】
ここで、裏板を製造するための紙片として、再生紙の紙片を用いると良く、これにより、環境に配慮したパネルにすることが可能である。
【実施例１】
【００２２】
本考案のパネルの実施例について図面を参照して説明すると、図１は、本実施例のパネルの正面図であり、また図２は図１におけるＡ−Ａ線断面構造を拡大して示した図であり、図において１が本実施例のパネルである。また、図１において５は、パネル１に挿装した絵画等である。
【００２３】
そして、本実施例のパネル１は、図に示すように、全体として略四角形状としている。即ち、本実施例のパネル１では、４本の長尺状のフレーム材を略四角形状に枠組みすることによりフレーム２が形成されており、このフレーム２内に、透明体３と裏板４が支持され、この透明体３と裏板４の間に絵画、写真等５を挟み込むとともに、前記フレーム２に回動自在に装着した係止部材６によって裏板４をフレーム２の内周側に係止することにより、パネル１に絵画、写真等５を装着可能としている。
【００２４】
ここで、図２において、前記フレーム２には、その裏面において、内周側全域に亘って、フレーム２の厚み寸法の任意の程度を切り欠くことにより形成された載置部２０１が具備されており、この載置部２０１上に、透明体３および裏板４の周縁部を載置可能としている。
【００２５】
即ち、本実施例において前記透明体３は、透明な樹脂製、あるいは透明なガラス製の薄い四角形状の板状としており、周縁部が前記載置部２０１上に載置可能な寸法としている。
【００２６】
また、前記裏板４は、不透明な板状であり、前記透明体３とほぼ同様な形状寸法としている。そして、前記載置部２０１上に透明体３の周縁部を載置し、この透明体３に重ね合わせるような配置で、裏板４の周縁部を前記載置部２０１上に載置して、更に、裏板４をとんぼ等の係止部材６でフレーム２に係止して、これによりフレーム２の内周側に、裏板４および透明体３を支持可能としており、使用に際しては、透明体３と裏板４間に絵画、写真等の掲示物を挟み込んだ状態で、フレーム２の内周側に裏板４および透明体３を支持することとしている。
【００２７】
ここで、本実施例における前記裏板４について説明すると、前述したように、本実施例において前記裏板４は不透明な板状であり、前記透明体３とほぼ同様な形状寸法としており、珪藻土と、チタンアパタイトと、再生紙の紙片とを混ぜ合わせて製造したものを用いている。
【００２８】
この裏板の製造方法について図３を参照して説明すると、図３は本実施例のパネルに用いている裏板４の製造方法を説明するための概念図であり、本実施例における前記裏板４を製造する場合には、まず、適宜の容器１０の中に、珪藻土７とチタンアパタイト８と再生紙の紙片９を入れ、また、適宜水を加えた後に、容器１０内を撹拌することで、前記の珪藻土７、チタンアパタイト８、再生紙の紙片９を、混ぜ合わせて混練して、ペースト状の原料１１を製造する。
【００２９】
なお、珪藻土７はパウダー状、ペースト状いずれのものを用いてもよい。また、珪藻土７と紙片９の量の比率は製造する裏板４の剛性等を考慮して適宜とするが、本実施例においては、再生紙を細かくした紙片９を用いるとともに、珪藻土７と紙片９を体積的に同量程度とした。
【００３０】
更に、チタンアパタイト８は、粉末状のものを適量前記容器１０の中に入れるとともに、水１００に対して、チタンアパタイト８の量を２〜３％程度に調整した。但し、チタンアパタイトと水の配合値は特に限定されない。
【００３１】
次に、珪藻土７、チタンアパタイト８、紙片９を良く撹拌して完全に混練してペースト状の原料１１を製造した後に、このペースト状にした原料１１を、型材１１の中に入れて裏板４の形状寸法に成型して原型１３を製造した。
【００３２】
そして、次に、前記原型１３をホットプレス機１４によってホットプレスして固化し、これによって裏板４を製造した。
【００３３】
このように、本実施例のパネル１では、珪藻土とチタンアパタイトと再生紙の紙片を混ぜ合わせて製造した裏板４を用いているために、珪藻土の効果により実内の除湿、消臭を行うことが可能であるとともにチタンアパタイトの効果により、裏板に付着した埃、菌、有害物質等を分解することができるために、室内の住環境を良くすることができるとともに、パネルが汚れて装飾効果が落ちることを防止することが可能である。
【００３４】
即ち、珪藻土は吸、放湿機能が大きいとともに自律的に呼吸するために半永久的に調湿機能を発揮することができるために、この珪藻土とチタンアパタイトと再生紙を混ぜ合わせて製造した裏板を用いた本実施例のパネルでは、室内の余分な湿気を吸収し、室内の湿度を自動的に調節することができるとともに、珪藻土の分解、消臭効果により、室内に漂う化学物質や悪臭を分解、消臭することができる。
【００３５】
そしてこのとき、本実施のパネルでは、パネル全体に占める面積が大きい裏板を、珪藻土とチタンアパタイトと再生紙を混ぜ合わせて製造している一方、パネルを壁等に掛けた場合には、パネルの裏面に湿気や臭いが溜まり易いために、より効果的に室内の除湿、消臭を行うことが可能である。
【００３６】
また、周知のようにチタンアパタイトは、富士通研究所と東京大学先端科学技術研究センターの共同研究で開発されたもので、アパタイト結晶中に酸化チタンを導入して製造され、有機物を確実に吸着するアパタイトの機能と、吸着した有機物を水と二酸化炭素にまで完全に酸化分解する酸化チタンの効果を併せ持つ。
【００３７】
そのために、チタンアパタイトと珪藻土と再生紙を混ぜ合わせて製造した裏板を用いている本実施例のパネルでは、裏板に付着した汚れや菌等をほとんど分解することができる一方、パネルを壁等に掛けた場合には、パネルの裏面は目につかないために掃除等を怠りがちで汚れが付着し易いために、パネルの汚れを防止してパネルの装飾効果が落ちることを防止することができる。
【００３８】
更に、本実施例のパネルでは、珪藻土とチタンアパタイトに再生紙の紙片を混ぜ合わせているために、環境に配慮したパネルにすることが可能である。
【００３９】
なお、裏板は、必ずしも前述の方法で製造した裏板には限定されず、珪藻土とチタンアパタイト紙片を混ぜ合わせて製造したものであれば、いずれの裏板を用いても良い。
【産業上の利用可能性】
【００４０】
本考案のパネルでは、珪藻土とチタンアパタイトと紙片を混ぜ合わせて製造した裏板を用いており、これにより、パネルを室内に飾っておくのみで、室内における住環境を良くすることができるために、とんぼ等の係止手段によって裏板をフレームに係止する、いわゆる一般的なパネルの他に、フレーム自体を回動して絵画、写真等を収納可能なフロントオープン式のパネル等、室内等に飾るパネルの全般に適用可能である。
【符号の説明】
【００４１】
１    パネル
２    フレーム
２０１    載置部
３    透明体
４    裏板
５    絵画、写真等の掲示物
６    係止部材（とんぼ）
７    珪藻土
８    チタンアパタイト
９    紙片
１０    容器
１１    ペースト状原料
１２    型枠
１３    原型
１４    ホットプレス
【図１】
0003185570.tif 000003
【図２】
0003185570.tif 000004
【図３】
0003185570.tif 000005